(57)【要約】      （修正有）【課題】使い勝手を向上させるとともに体液を吸収するという双方の機能を実現可能とした新規なＴ字帯として、吸収性物品を付加した体液吸収Ｔ字帯を提供する。【解決手段】腰紐部３と縦帯部４をＴ字状に配置してなるＴ字帯において、縦帯部４の内面に、不透液性シートと透液性シートとの間に吸収体を介在させてなる吸収性物品５を配置して一体に固定した体液吸収Ｔ字帯１を基本とする。吸収性物品５は、縦帯部４の長手方向両端部に空白部を残して、縦帯部４の長手方向中央部に配置し、吸収性物品５は、縦帯部４と略同一幅の幅広部と、縦帯部４の幅寸法よりも狭い幅寸法の本体部を有するように構成する。【選択図】図１
0003148352.tif 000002
【実用新案登録請求の範囲】
【請求項１】
腰紐部と縦帯部をＴ字状に配置してなるＴ字帯において、
縦帯部の内面に、不透液性シートと透液性シートとの間に吸収体を介在させてなる吸収性物品を配置して一体に固定したことを特徴とする体液吸収Ｔ字帯。
【請求項２】
吸収性物品は、縦帯部の長手方向両端部に空白部を残して、縦帯部の長手方向中央部に配置されている請求項１記載の体液吸収Ｔ字帯。
【請求項３】
吸収性物品は、縦帯部と略同一幅の幅広部と、縦帯部の幅寸法よりも狭い幅寸法の本体部を有してなる請求項１又は２記載の体液吸収Ｔ字帯。
【請求項４】
吸収性物品は、吸収体を載置した不透液性シートの幅方向両端部を起立させて、吸収体の下面及び側面を被覆するとともに外方に折返して鍔部を形成し、該鍔部の上面と吸収体の上面に載置した透液性シートの幅方向両端部の上面に跨って連結シートを固定してなる請求項１，２又は３記載の体液吸収Ｔ字帯。
【請求項５】
吸収性物品の幅方向両端部の長手方向に立上りギャザー部を付設した請求項１，２，３又は４記載の体液吸収Ｔ字帯。
【請求項６】
前記吸収性物品は、吸収体を載置した不透液性シートの幅方向両端部を起立させて、吸収体の下面及び側面を被覆するとともに外方に折返して鍔部を形成し、該鍔部の上面と吸収体の上面に載置した透液性シートの幅方向両端部の上面に跨って連結シートを固定し、鍔部の上面と連結シートの下面との間に伸長状態の弾性体を添設することにより、先端部が自由端部として形成された立上りギャザー部とからなる請求項１，２又は３記載の体液吸収Ｔ字帯。
【請求項７】
吸収体は、粉砕パルプと、粉砕パルプ内に配置された吸水性ポリマーを有する請求項１，２，３，４，５又は６記載の体液吸収Ｔ字帯。
【考案の詳細な説明】
【技術分野】
【０００１】
本考案は吸収性物品を付加した体液吸収Ｔ字帯に関するものである。
【背景技術】
【０００２】
従来から医療用の下着として、腰紐部と縦帯部をＴ字状に配置してなるＴ字帯が使用されている。このＴ字帯は、脱着や交換が容易でウエストを自由に調節することができることから、患者や介護者の肉体的負担を減らすことができるため、特に出産や開腹手術を行う患者，足腰に外傷を負った患者や介護者に用いられることが多く、これらのケースにおいては必要不可欠の物品である。
【０００３】
このＴ字帯は晒木綿や不織布からなるため、Ｔ字帯を単独で使用する場合には、患者や介護者から排出される各種の体液の吸収能力に欠けることがある。そこで、従来は一定量以上の体液を吸収させる必要がある場合は、Ｔ字帯の中に吸収シートなどを介挿させて使用している。
【０００４】
また、従来よりＴ字帯を安定的に装着して、ずれ，弛み，撚れ等を回避するために、Ｔ字帯の縦帯部の下方部に、合成樹脂や麻からなる滑り止め部を設けるとともに、縦帯部の両側縁にゴム紐を縫着したギャザー部を設けたＴ字帯が提供されている（特許文献１）。更に、現在の紙オムツとリハビリ用パンツ式紙オムツのそれぞれの利点を融合させ、利用者の体型に合わせて、ウエストを調節可能として脱落を防ぎ、長時間使用しても型くずれを調節できるようにするために、リハビリ用パンツ式紙オムツの腹部弾性帯部にカットを入れて、腹部弾性帯調節部を設けウエストの調節ができるようにして、高分子吸水材の入った腹部側フロント部は、腹部弾性帯部と接合せずに両サイドで脱着できるようにしたＴ字帯式紙パンツも提供されている（特許文献２）。
【特許文献１】実用新案登録第３０９２１７０号公報
【特許文献２】特開２００１−３４０３７１号公報
【考案の開示】
【考案が解決しようとする課題】
【０００５】
Ｔ字帯はウエストを自由に調節することができるため、使い勝手は優れているが、吸収能力に欠けるため、血液，組織液，尿，水様便等の各種の体液をＴ字帯のみで処理しようとした場合、体液が外部に漏れたり、浸み出ることがある。例えば、Ｔ字帯を使用することの多い分娩時において、分娩後の産褥時に子宮から排出される分泌物である悪露の処理に対応できないことが多い。
【０００６】
そこで、従来はＴ字帯に吸収シートを介挿させて使用することが多いが、装着者の身体の動静によって、装着中に吸収シートがずれたり、弛んだり、撚れたりするため、Ｔ字帯に上手く固定することが困難である。特許文献１に示すような滑り止め部を設けても、Ｔ字帯と吸収シートは別体のものであるため、やはり長時間にわたって固定することはできず、ずれ，弛み，撚れ等を避けることが困難である。また、吸収シートでは体液の吸収能力に欠けることが多く、Ｔ字帯の限界をカバーするに至らない。よって、一定量以上の体液の排出が予想される場合はＴ字帯を使用することができない。
【０００７】
特許文献２に示すＴ字帯式紙パンツは、Ｔ字帯と紙パンツの双方の利点を有しているようであるが、紙パンツ部の腹部側フロント部（Ｔ字帯の縦帯部）は、腹部弾性帯部と接合せずに両サイドで脱着し、腹部弾性帯（Ｔ字帯の腰紐部）を使用して固定するものではない。よって、縦帯部を腰紐部を使用して固定することにより、脱着や交換が容易でウエストを自由に調節することができるというＴ字帯の最も便利な特徴的構成を欠いてしまっており、実質的にはＴ字帯の範疇に入らないし、紙パンツ部の腹部側フロント部と腹部弾性体とをそれぞれ操作する必要があるため、２度手間となり、使い勝手が悪く、実用性に欠けている。
【０００８】
更に、体液を上手く吸収し、装着時の快適性を向上させるには、尻部を包み込むことが好ましいが、Ｔ字帯の縦帯部は所定幅の矩形状であるため、縦帯部が尻部を包み込むことができなかった。そのため、横漏れや後ろ漏れをすることが多かった。また、縦帯部が股に密着してしまい通気性が悪く、ムレやかぶれの原因ともなっていた。
【０００９】
そこで、上記した従来のＴ字帯が有している問題を解決して使い勝手を向上させるとともに体液を吸収するという双方の機能の実現を可能として新規なＴ字帯として、吸収性物品を付加した体液吸収Ｔ字帯を提供することを目的とする。
【課題を解決するための手段】
【００１０】
本考案は上記目的を達成するために、腰紐部と縦帯部をＴ字状に配置してなるＴ字帯において、縦帯部の内面に、不透液性シートと透液性シートとの間に吸収体を介在させてなる吸収性物品を配置して一体に固定した体液吸収Ｔ字帯を基本として提供する。そして、吸収性物品は、縦帯部の長手方向両端部に空白部を残して、縦帯部の長手方向中央部に配置し、吸収性物品は、縦帯部と略同一幅の幅広部と、縦帯部の幅寸法よりも狭い幅寸法の本体部を有するように構成する。
【００１１】
また、吸収性物品は、吸収体を載置した不透液性シートの幅方向両端部を起立させて、吸収体の下面及び側面を被覆するとともに外方に折返して鍔部を形成し、該鍔部の上面と吸収体の上面に載置した透液性シートの幅方向両端部の上面に跨って連結シートを固定し、吸収性物品の幅方向両端部の長手方向に立上りギャザー部を付設する。
【００１２】
更に、前記吸収性物品は、吸収体を載置した不透液性シートの幅方向両端部を起立させて、吸収体の下面及び側面を被覆するとともに外方に折返して鍔部を形成し、該鍔部の上面と吸収体の上面に載置した透液性シートの幅方向両端部の上面に跨って連結シートを固定し、鍔部の上面と連結シートの下面との間に伸長状態の弾性体を添設することにより、先端部が自由端部として形成された立上りギャザー部とからなる構成を提供する。そして、吸収体は、粉砕パルプと、粉砕パルプ内に配置された吸水性ポリマーを有する。
【考案の効果】
【００１３】
本考案によれば、Ｔ字帯の縦帯部の内面に吸収性物品を配置して一体に固定したため、Ｔ字帯として使い勝手のよさをそのままに、体液吸収機能を持たせることができ、しかも吸収性物品にずれ，弛み，撚れ等が生じることがない。また、吸収性物品は幅広部を有するため、装着者の尻部を被覆した状態で使用することができる。更に、吸収性物品は立上りギャザー部を有するため、吸収性物品の透液性シートに排泄された体液が吸収体に吸収される前に、排泄量や体圧等によって横方向に広がろうとした場合に、体液は立上りギャザー部によって堰き止められるため横漏れすることがない。
【考案を実施するための最良の形態】
【００１４】
以下図面に基づいて本考案にかかる体液吸収Ｔ字帯の最良の実施形態を説明する。図１は本考案にかかる体液吸収Ｔ字帯１の全体平面図である。図において、２はＴ字帯部であり、腰紐部３と縦帯部４がＴ字状に配置されている。そして、縦帯部４の内面に、吸収性物品５が配置されて一体に固定されている。このＴ字帯部２は従来のＴ字帯と同一の構成であり、不織布から構成されている。なお、Ｔ字帯部２の素材は晒木綿その他適宜の素材を使用することができる。実施形態では幅寸法Ｗを１２５ｃｍ、長さ寸法Ｌを９６．５ｃｍとし、縦帯部４の幅寸法Ｗ３を３２ｃｍとした。１５は縦帯部４の開放先端部から腰紐部３方向に形成されたスリットであり、縦帯部４の装着を容易とするためのものである。なお、Ｔ字帯部２のサイズに限定があるわけではなく、装着者の体格に応じて適宜の寸法を選定すればよい。
【００１５】
図２は吸収性物品５の全体平面図、図３はその要部断面図である。図において、６はポリエチレン、ポリプロピレンなどからなる不透液性シートであり、吸収性物品５に吸収した各種体液を外部に漏らさないためのものであり、体圧がかかった程度では、体液は透液しないとともに、透湿性を有している。７はポリエチレン，ポリプロピレン，ポリエチレンテレフタレート，レーヨン，コットンなどからなる透液性シートであり、吸収性物品５に排泄された体液を透過させて吸収体８に素早く吸収させるものである。８は吸収体であり、吸収紙９に被覆された粉砕パルプ１０と、粉砕パルプ１０の内部に適宜配置された吸水性ポリマー１１とからなり、排泄された体液を吸収して保持するものである。実施形態では、この吸収体８を２段に重ねて使用した。
【００１６】
吸収性物品５は、不透液性シート６と透液性シート７との間に吸収体８を介在させて構成されている。具体的には、吸収体８を載置した不透液性シート６の幅方向両端部を起立させて、吸収体８の下面及び側面を被覆するとともに外方に折返して鍔部６ａ，６ａを形成し、該鍔部６ａ，６ａの上面と吸収体８の上面に載置した透液性シート７の幅方向両端部の上面に跨って、断面Ｌ字状の連結シート１２をヒートシール等の適宜の手段で固定するとともに、鍔部６ａ，６ａの上面と連結シート１２の下面との間に、１乃至複数本の伸長状態の弾性体１３を添設して、先端部が自由端部として形成された立上りギャザー部１４を形成している。なお、連結シート１２は、ポリエチレン，ポリプロピレン，ポリエチレンテレフタレートなどからなる撥水性不織布を採用することが適当であり、排泄された体液が吸収体８に吸収されるまでの間、体液の漏れを防止することができる。
【００１７】
一方、透液性シート７の長手方向の両端部は、吸収体８の長手方向両端部を超えて延長され、その下面を、同様に吸収体８の長手方向両端部を超えて延長された不透液性シート６の長手方向両端部の上面とホットメルト等の接着剤で固定する。なお、立上りギャザー部１４を採用することなく、本考案にかかる吸収性物品５とは別体の立上りギャザー部を付加してもよい。
【００１８】
吸収性物品５は、図２に示すように、縦帯部４の幅寸法よりも狭い幅寸法を有する本体部５ａと、縦帯部４と略同一幅の幅広部５ｂから構成されており、実施形態では、全長Ｌ２を６５ｃｍ、本体部５ａの幅寸法Ｗ２を２４．５ｃｍ、幅広部５ｂの幅寸法Ｗ３を３２ｃｍとした。
【００１９】
かかる構成の吸収性物品５を、図１に示すようにＴ字帯部２の縦帯部４の内面において、長手方向両端部に空白部を残して、縦帯部の長手方向中央部に配置し、Ｔ字帯部２と一体に固定する。固定手段としては適宜の接着剤を使用することが好ましいが、ヒートシールその他の手段で固定してもよい。よって、吸収性物品５の幅広部５ｂは縦帯部４の幅寸法と同一に構成され、縦帯部４と重なった状態で固定される。一方、吸収性物品５の本体部５ａは縦帯部４よりも幅寸法が狭く構成され、縦帯部４内に固定されている。
【００２０】
体液吸収Ｔ字帯１の使用に際しては、装着者の尻部に吸収性物品５の幅広部５ｂが位置するように、装着者の腰部の下に載置し、腰紐部３の開放両端をウエストに巻回して適当な締め付け力となるように結着する。次にスリット１５の形成された縦帯部４の開放先端部を折り返して装着者の股間部を吸収性物品５で被覆し、股間部への密着具合を調節した上で、結着した腰紐部３の下をくぐらせて、再び腰紐部３から股間方向に折り返す。よって、基本的には通常のＴ字帯と同様に使用すればよく、ウエスト部は装着者の体格や状況に応じて自由に調節することができる。
【００２１】
上記構成の体液吸収Ｔ字帯１を使用した場合には、従来のＴ字帯と同様に、装着者の体格に合わせてウエストを自由に調節することができて優れた使い勝手を有するとともに、Ｔ字帯部２と一体に固定された吸収性物品５が体液を吸収・保持する。
【００２２】
即ち、透液性シート７上に排泄された体液は、透液性シート７を通過して吸収体８に吸収される。このとき一度の排泄量が多かったり、着用者の体圧がかかったり、或いは吸収体８が既に一定量の体液を吸収して吸収能力が低下している際には、体液は、吸収体８に吸収されるまでに時間を要することとなり、透液性シート７から四方に拡散してしまう。その際、長手方向に拡散した体液は、吸収体８が長手方向に沿って存在するため時間経過とともに外部に漏れることなく、吸収体８に吸収されていく。一方、幅方向に拡散した体液は、吸収体８が存在しない吸収性物品５の幅方向の端部に到達するが、該端部には立上りギャザー部１４が立ち上がっているため体液に対して壁として立ちはだかり、体液は透液性シート７に沿って長手方向に移動し、その移動途中に吸収体８に吸収される。よって、幅方向に横漏れすることがない。
【００２３】
上記本考案にかかる体液吸収Ｔ字帯１の吸収性物品５を装着者が側臥位で排尿した場合を想定し、傾けた状態で中央部に人工尿を供給して実験したところ、供給場所で吸収体８に吸収され、Ｔ字帯部２に漏れることはなかった。また、人工尿は幅方向に拡散したが立上りギャザー部１４によって幅方向への横漏れが阻止され、時間経過とともに全量が吸収体８に吸収された。
【産業上の利用可能性】
【００２４】
以上詳細に説明したように、本考案によれば、Ｔ字帯部と吸収性物品とを一体に固定しているため、Ｔ字帯の使い勝手のよさをそのままに、従来のＴ字帯の不安要素であった吸収能力に欠ける欠点を吸収性物品で補い、Ｔ字帯でありながら、優れた体液の吸収性能を実現することができる。しかも、吸収性物品がずれたり弛んだり，撚れたりすることもなく、吸収性物品を個別に装着する必要もない。
【００２５】
また、吸収性物品は幅広部を有するため、装着者の尻部を被覆した状態で使用することができるため、後ろ漏れの心配がない。更に、吸収性物品は立上りギャザー部を有するため、吸収性物品の透液性シートに排泄された体液が吸収体に吸収される前に、排泄量や体圧等によって横方向に広がろうとした場合に、体液は立上りギャザー部によって堰き止められるため横漏れすることがない。
【００２６】
不透液性シートは透湿性を有するため、Ｔ字帯部と相俟って蒸れ、かぶれを防ぐことができ、快適な状態で装着することができる。そして、従来のＴ字帯と同様にウエスト部を自由に調節することができる。よって、優れた使い勝手はそのままに、体液吸収能力を付加することができるため、各種の体液をＴ字帯によって吸収処理することができる。
【００２７】
そのため、患者や介護者の肉体的負担を減らすことができて、出産や開腹手術を行う患者，足腰に外傷を負った患者や介護者に用いて有用である。特に分娩後の産褥時の動けない状態における悪露処理に用いて有効であるとともに、装着者に安心感を与えることができる。
【図面の簡単な説明】
【００２８】
【図１】本考案にかかる体液吸収Ｔ字帯の全体平面図。
【図２】吸収性物品の全体平面図。
【図３】図２の要部断面図。
【符号の説明】
【００２９】
１…体液吸収Ｔ字帯
２…Ｔ字帯部
３…腰紐部
４…縦帯部
５…吸収性物品
６…不透液性シート
６ａ…鍔部
７…透液性シート
８…吸収体
９…吸収紙
１０…粉砕パルプ
１１…吸水性ポリマー
１２…連結シート
１３…弾性体
１４…立上りギャザー部
１５…スリット
【図１】
0003148352.tif 000003
【図２】
0003148352.tif 000004
【図３】
0003148352.tif 000005